(57)【要約】【課題】着用時の股間部のごわつき感を低減するとともに吸収具を着用者の股間部へと確実に付勢する。【解決手段】パンツタイプの吸収具保持カバー１の中央本体部２は、トップシート２１、バックシート２３、並びに、前方部２０１および後方部２０３に設けられる第１吸収コア２２１および第２吸収コア２２２を備える。外装部３は、内装シート３１、外装シート３２、および、中間部３０２に接合される複数の中間弾性部材３３を備える。吸収具保持カバー１の内側には、着用者からの排泄物を受ける吸収具９が交換可能に取り付けられる。吸収具保持カバー１では、中央本体部２の中間部２０２に吸収コアが設けられていないため、着用時の股間部のごわつき感を低減することができる。また、中間弾性部材３３により吸収具保持カバー１の中間部に伸縮性が与えられており、当該中間部の収縮力により吸収具９を着用者の股間部へと確実に付勢することができる。【選択図】図２
2007185329.tif 000002
【特許請求の範囲】
【請求項１】
着用者からの排泄物を受ける吸収具が交換可能に取り付けられる吸収具保持カバーであって、
着用者の股間部から前後に広がるとともに前記着用者に対向するトップシートと、
前記トップシートの前記着用者とは反対側を覆うバックシートと、
前記着用者の腹側において前記トップシートと前記バックシートとの間に設けられる第１吸収体と、
前記着用者の背側において前記トップシートと前記バックシートとの間に設けられる第２吸収体と、
前記着用者の股間部に対向するとともに前記トップシートと前記バックシートとの間に吸収体が存在しない、または、前記第１吸収体および前記第２吸収体よりも薄い吸収体が設けられる中間部に伸縮性を与える弾性部材と、
を備えることを特徴とする吸収具保持カバー。
【請求項２】
請求項１に記載の吸収具保持カバーであって、
前記中間部において、前記トップシートと前記バックシートとの間に吸収体が存在しないことを特徴とする吸収具保持カバー。
【請求項３】
請求項１または２に記載の吸収具保持カバーであって、
前記弾性部材が、前記第１吸収体、前記中間部および前記第２吸収体が並ぶ長手方向に沿って伸縮することを特徴とする吸収具保持カバー。
【請求項４】
請求項３に記載の吸収具保持カバーであって、
前記中間部において、前記長手方向に垂直な方向に対して３ｃｍ以上１０ｃｍ以下の幅を有する領域に前記弾性部材が接着されることを特徴とする吸収具保持カバー。
【請求項５】
請求項４に記載の吸収具保持カバーであって、
前記弾性部材が、前記中間部の前記長手方向に平行な中心線に関して対称に設けられることを特徴とする吸収具保持カバー。
【請求項６】
請求項４または５に記載の吸収具保持カバーであって、
前記弾性部材が、前記長手方向に沿って伸びるとともに前記長手方向に垂直な幅方向に配列される複数の糸状部材であることを特徴とする吸収具保持カバー。
【請求項７】
請求項１ないし６のいずれかに記載の吸収具保持カバーであって、
前記中間部が折り曲げられて前記第１吸収体と前記第２吸収体とが前記トップシートを挟んで対向し、前記トップシートおよび前記バックシートの前記第１吸収体の左右両側の部位が、前記トップシートおよび前記バックシートの前記第２吸収体の左右両側の部位にそれぞれ直接または間接的に接合されていることを特徴とする吸収具保持カバー。
【発明の詳細な説明】
【技術分野】
【０００１】
本発明は、着用者からの排泄物を受ける吸収具が交換可能に取り付けられる吸収具保持カバーに関する。
【背景技術】
【０００２】
従来より、着用者の排泄物を受ける使い捨てタイプの吸収性物品として、トップシートとバックシートとの間に粉砕パルプ等により形成された吸収コアを設けた吸収性本体、および、吸収性本体の両側に取り付けられて尿等の漏出を防止する立体ギャザを備えるものが使用されている。
【０００３】
特許文献１の使い捨てタイプの女性用ショーツ型吸収性物品では、パンツタイプの外装体の内側に設けられた吸収性本体が、長手方向の両端部および排泄ポイント近傍において外装体に接着されている。当該吸収性本体では、着用者とは反対側に長手方向に伸びる弾性部材が２５ｍｍ以上の幅に亘って設けられており、排泄ポイント近傍において弾性部材の伸縮性を消失させるように当該弾性部材が吸収性本体に接着されている。そして、排泄ポイントの前後において弾性部材が収縮することにより、吸収性本体の排泄ポイント近傍の部位が着用者側に凸となった状態で着用者の股間部にフィットする。
【０００４】
このような使い捨てタイプの吸収性物品では、少量の排尿時等であっても吸収性物品全体を交換する必要があるため、使用者にとって経済的な負担が大きくなってしまう。そこで、使い捨てタイプの吸収性物品の内側に安価な吸収具（いわゆる、尿取りパッド等）を取り付けて着用し、少量の排尿時には当該吸収具のみを交換することが行われている。
【０００５】
特許文献２では、吸収パッドを内側に配して着用される吸収性カバーにおいて、着用者の腹側および背側に配される部位の幅方向両側に設けられたフラップ部にのみ吸収体を設けることにより、吸収体の材料使用量を低減して吸収性カバーを安価に製造する技術が開示されている。
【特許文献１】特開２００２−３２０６４１号公報
【特許文献２】特開２００２−２００１０５号公報
【発明の開示】
【発明が解決しようとする課題】
【０００６】
ところで、通常の使い捨ておむつの内側に吸収パッドを取り付けて装着した場合、着用者の股間部には、吸収パッドの吸収コアおよび使い捨ておむつ本体の吸収コアが存在することとなってごわつき感が生じてしまう。
【０００７】
また、特許文献２の吸収性カバーを吸収パッドと共に着用した場合、着用者の動き等により吸収パッドが着用者と吸収性カバーとの間においてずれてしまい、排泄物が吸収パッドの側方から吸収性カバーへと流れ出てしまったり、排泄物を吸収パッドにより受けることができない恐れがある。
【０００８】
本発明は、上記課題に鑑みなされたものであり、着用時の股間部のごわつき感を低減するとともに吸収具を着用者の股間部へと確実に付勢することを目的としている。
【課題を解決するための手段】
【０００９】
請求項１に記載の発明は、着用者からの排泄物を受ける吸収具が交換可能に取り付けられる吸収具保持カバーであって、着用者の股間部から前後に広がるとともに前記着用者に対向するトップシートと、前記トップシートの前記着用者とは反対側を覆うバックシートと、前記着用者の腹側において前記トップシートと前記バックシートとの間に設けられる第１吸収体と、前記着用者の背側において前記トップシートと前記バックシートとの間に設けられる第２吸収体と、前記着用者の股間部に対向するとともに前記トップシートと前記バックシートとの間に吸収体が存在しない、または、前記第１吸収体および前記第２吸収体よりも薄い吸収体が設けられる中間部に伸縮性を与える弾性部材とを備える。
【００１０】
請求項２に記載の発明は、請求項１に記載の吸収具保持カバーであって、前記中間部において、前記トップシートと前記バックシートとの間に吸収体が存在しない。
【００１１】
請求項３に記載の発明は、請求項１または２に記載の吸収具保持カバーであって、前記弾性部材が、前記第１吸収体、前記中間部および前記第２吸収体が並ぶ長手方向に沿って伸縮する。
【００１２】
請求項４に記載の発明は、請求項３に記載の吸収具保持カバーであって、前記中間部において、前記長手方向に垂直な方向に対して３ｃｍ以上１０ｃｍ以下の幅を有する領域に前記弾性部材が接着される。
【００１３】
請求項５に記載の発明は、請求項４に記載の吸収具保持カバーであって、前記弾性部材が、前記中間部の前記長手方向に平行な中心線に関して対称に設けられる。
【００１４】
請求項６に記載の発明は、請求項４または５に記載の吸収具保持カバーであって、前記弾性部材が、前記長手方向に沿って伸びるとともに前記長手方向に垂直な幅方向に配列される複数の糸状部材である。
【００１５】
請求項７に記載の発明は、請求項１ないし６のいずれかに記載の吸収具保持カバーであって、前記中間部が折り曲げられて前記第１吸収体と前記第２吸収体とが前記トップシートを挟んで対向し、前記トップシートおよび前記バックシートの前記第１吸収体の左右両側の部位が、前記トップシートおよび前記バックシートの前記第２吸収体の左右両側の部位にそれぞれ直接または間接的に接合されている。
【発明の効果】
【００１６】
本発明では、着用時の股間部のごわつき感を低減するとともに吸収具を着用者の股間部へと確実に付勢することができる。請求項２の発明では、着用時の股間部のごわつき感をより一層低減することができる。請求項３の発明では、吸収具を着用者の股間部へとより確実に付勢することができる。請求項４および５の発明では、吸収具を吸収具保持カバーに容易に取り付けることができる。
【発明を実施するための最良の形態】
【００１７】
図１は、本発明の第１の実施の形態に係るパンツタイプの吸収具保持カバー１の外観を示す図である。吸収具保持カバー１の内側（すなわち、着用者側）には、着用者からの排泄物を受ける吸収具（いわゆる、吸収パッド）が交換可能に取り付けられる。
【００１８】
図２は、吸収具保持カバー１を展開して広げた状態で着用者側から見た平面図である。図１および図２に示すように、吸収具保持カバー１は、吸収性を有する略シート状の中央本体部２、および、中央本体部２が着用者側に接合されるパンツタイプの外装部３を備える。吸収具保持カバー１では、中央本体部２の図２中の下側の部位２０１が着用者の腹側に接し、図２中の上側の部位２０３が着用者の背側に接する。以下の説明では、中央本体部２の着用者の腹側および背側に接する部位２０１，２０３をそれぞれ、「前方部２０１」および「後方部２０３」と呼び、前方部２０１と後方部２０３との間で着用者の股間部に対向する部位２０２を「中間部２０２」と呼ぶ。また、前方部２０１、中間部２０２および後方部２０３が並ぶ方向（すなわち、図２中の上下方向）を長手方向、長手方向に垂直な方向を幅方向という。
【００１９】
本実施の形態では、図２中に二点鎖線にて示すように、平面視において略矩形状の吸収具９が、中央本体部２の着用者側において前方部２０１、中間部２０２および後方部２０３に亘って配置され、面ファスナ等により中央本体部２に取り付けられる。
【００２０】
図３は、吸収具９を図２中に示すＡ−Ａの位置で切断した断面図である。図３に示すように、吸収具９は、吸液性の吸収コア９２、吸収コア９２の着用者側の主面を覆う透液性のトップシート９１、および、吸収コア９２のもう一方の主面を覆う撥水性または不透液性のバックシート９３を備え、トップシート９１とバックシート９３とは、ホットメルト接着剤等により吸収コア９２の周囲にて接合される。吸収具９では、長手方向（すなわち、図２中の上下方向）のほぼ全域に亘って吸収コア９２が設けられており、着用者からの排泄物を受けてその水分を吸収する。
【００２１】
図４および図５は、吸収具保持カバー１を図２中に示すＡ−ＡおよびＢ−Ｂの位置で（すなわち、中央本体部２の中間部２０２および前方部２０１に対応する位置で）それぞれ切断した断面図である。吸収具保持カバー１では、中央本体部２の後方部２０３に対応する位置における断面は図５と同様である。
【００２２】
図２、図４および図５に示すように、中央本体部２は、中間部２０２から前方部２０１および後方部２０３に広がる（すなわち、着用者の股間部から前後に広がる）とともに着用者に対向するトップシート２１、トップシート２１の着用者とは反対側を覆うバックシート２３、前方部２０１において（すなわち、着用者の腹側において）トップシート２１とバックシート２３との間に設けられる吸液性の吸収体である第１吸収コア２２１、および、後方部２０３において（すなわち、着用者の背側において）トップシート２１とバックシート２３との間に設けられる吸液性の吸収体である第２吸収コア２２２を備える。中央本体部２では、第１吸収コア２２１、中間部２０２および第２吸収コア２２２が長手方向に並ぶ。
【００２３】
中央本体部２は、さらに、中央本体部２の長手方向のほぼ全長に亘って幅方向の両側に設けられた一対の側壁部２４を備える。一対の側壁部２４のそれぞれには、長手方向に伸びる複数の弾性部材（図示省略）が接合されており、図２に示すように吸収具保持カバー１を広げた状態では、弾性部材は伸張状態となっている。吸収具保持カバー１では、弾性部材が収縮することにより、図４に示すように、側壁部２４の内側のエッジが着用者側に向かって立ち上がり、着用時に着用者の脚の付け根近傍に当接する立体ギャザーが形成される。また、中央本体部２の長手方向の両端部近傍では、図５に示すように、側壁部２４はほぼ全幅に亘ってトップシート２１およびバックシート２３に接合されている。
【００２４】
側壁部２４は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収具保持カバー１の快適性向上の観点からは、側壁部２４は通気性を有することが好ましい。
【００２５】
吸収具保持カバー１に吸収具９が取り付けられる際には、図４中に二点鎖線にて示すように、一対の側壁部２４の間において吸収具９のバックシート９３（図３参照）に設けられた面ファスナ（図示省略）等をトップシート２１に係合することにより吸収具９が吸収具保持カバー１に固定される。吸収具保持カバー１では、側壁部２４により吸収具９の側方に排泄物が流れ出ることが防止される。
【００２６】
トップシート２１は透液性の材料、例えば、親水性繊維により形成された不織布であり、着用者からの排泄物が吸収具９の長手方向の端部から流れ出た場合に、排泄物の水分を捕捉して第１吸収コア２２１または第２吸収コア２２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を活性剤により親水処理した疎水性繊維（例えば、ポリプロピレン、ポリエチレン、ポリエステル、ポリアミド、ナイロン）により形成された透液性の不織布が利用されてもよく、また、開孔を有するプラスチックフィルムが利用されてもよい。
【００２７】
第１吸収コア２２１および第２吸収コア２２２は、親水性繊維（例えば、粉砕したパルプ繊維やセルロース繊維）に粒状の吸水性ポリマー（例えば、ＳＡＰ(Super Absorbent Polymer)）を混合したものであり、第１吸収コア２２１および第２吸収コア２２２（すなわち、親水性繊維および吸水性ポリマー）はティッシュペーパーや透液性シートにより包み込まれている。本実施の形態では、前方部２０１から中間部２０２を経由して後方部２０３まで連続するティッシュペーパーにより第１吸収コア２２１および第２吸収コア２２２が包み込まれており、当該ティッシュペーパーにより、親水性繊維の型崩れ、および、吸水性ポリマーの脱落（特に、吸水後における脱落）が防止される。第１吸収コア２２１および第２吸収コア２２２は、トップシート２１、並びに、第１吸収コア２２１および第２吸収コア２２２を包むティッシュペーパーを透過した水分を吸収して迅速に固定する。中央本体部２では、第１吸収コア２２１および第２吸収コア２２２の間の中間部２０２において、トップシート２１とバックシート２３との間には吸収コアは存在せず、ティッシュペーパーのみが存在する。なお、図４では、当該ティッシュペーパーの図示を省略している。
【００２８】
バックシート２３は撥水性または不透液性の不織布であり、トップシート２１を透過した水分、および、第１吸収コア２２１および第２吸収コア２２２に一旦吸収された水分が、中央本体部２の外側にしみ出すのを防止する。バックシート２３として利用される不織布は、例えば、スパンボンド不織布やメルトブロー不織布、ＳＭＳ不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２９】
図２、図４および図５に示すように、外装部３は、着用者に対向するとともに中央本体部２が接合される内装シート３１、および、内装シート３１の着用者とは反対側を覆う外装シート３２を備える。内装シート３１としては撥水性の不織布が用いられ、外装シート３２としては、バックシート２３と同様の撥水性または不透液性の不織布やプラスチックフィルム、あるいは、不織布とブラスチックフィルムとの複合材料が用いられる。外装シート３２にプラスチックフィルムが利用される場合、着用者の快適性の観点からは、バックシート２３と同様に、プラスチックフィルムは通気性を有することが好ましい。
【００３０】
図４および図５に示すように、中央本体部２はホットメルト接着剤４により外装部３の内装シート３１に接着されている。図６に示すように、吸収具保持カバー１では、平行斜線を付して示す部位、すなわち、中央本体部２の長手方向の両端部近傍および中間部２０２において、中央本体部２が外装部３に接着される。中央本体部２の上記接着部位以外の部位は、外装部３と離間可能とされる。
【００３１】
図２に示す吸収具保持カバー１では、中央本体部２の中間部２０２および外装部３の中間部２０２に対応する部位（以下、「中間部３０２」という。）が折り曲げられ、中央本体部２の第１吸収コア２２１と第２吸収コア２２２とがトップシート２１を挟んで対向する。そして、トップシート２１およびバックシート２３（図５参照）の第１吸収コア２２１の左右両側（すなわち、幅方向の両側）の部位が、トップシート２１およびバックシート２３の第２吸収コア２２２の左右両側の部位に、それぞれ外装部３を介して間接的に接合されることにより、パンツタイプの吸収具保持カバー１が形成される。以下の説明では、外装部３において中央本体部２の前方部２０１および後方部２０３に対応する部位をそれぞれ、「前方部３０１」および「後方部３０３」と呼ぶ。
【００３２】
図１、図２および図４に示すように、外装部３は、中間部３０２において、内装シート３１と外装シート３２との間に設けられる複数（本実施の形態では７本）の糸状部材である中間弾性部材（いわゆる、糸ゴム）３３をさらに備える。図２に示すように、複数の中間弾性部材３３は、長手方向に沿って伸びるとともに幅方向に配列されており、中間部３０２の長手方向に平行な中心線３００（中央本体部２および吸収具保持カバー１の中心線でもある。）に関して対称に設けられる。
【００３３】
中間弾性部材３３は、外装部３の中間部３０２のほぼ全長に亘る（すなわち、中央本体部２の中間部２０２のほぼ全長に亘る）とともに幅方向に対して３ｃｍ以上１０ｃｍ以下の幅を有する領域（以下、「弾性領域」という。）において内装シート３１および外装シート３２に接着されており、図２に示すように吸収具保持カバー１を広げた状態では伸張状態となっている。中間弾性部材３３の長手方向に関する長さは、中央本体部２の中間部２０２の長さにほぼ等しい。本実施の形態では、弾性領域の幅（すなわち、幅方向の最も外側に位置する２本の中間弾性部材３３の間の距離）は約６ｃｍであり、弾性領域において７本の中間弾性部材３３が約１ｃｍピッチにて配列されている。
【００３４】
吸収具保持カバー１では、中間弾性部材３３が長手方向に沿って伸縮することにより、外装部３の中間部３０２、および、中間部３０２に接着されている中央本体部２の中間部２０２に伸縮性が与えられる。中間弾性部材３３としては、ポリウレタン糸等が用いられる。
【００３５】
外装部３は、また、図１および図２に示すように、腰周りおよび脚周りの開口に沿う複数の糸状の弾性部材３４，３５を備え、内装シート３１と外装シート３２との間に伸張状態で接合された弾性部材３４，３５の収縮力により、外装部３が着用者の腰および脚の付け根近傍に適度に密着する。外装部３は、さらに、前方部３０１および後方部３０３において幅方向に伸びる複数の糸状の弾性部材を備え、内装シート３１と外装シート３２との間に伸張状態で接合された当該弾性部材の収縮力により、外装部３の前方部３０１および後方部３０３が着用者の腹部および背部に適度に密着する。なお、図１、図２、図５および図６では、図の理解を容易にするために、当該弾性部材の図示を省略している。
【００３６】
吸収具保持カバー１を着用する際には、通常、吸収具保持カバー１に脚を挿入し、膝の辺りまでを引き上げられた状態の吸収具保持カバー１の内側に吸収具９を上から挿入する。続いて、吸収具９を中央本体部２の中間部２０２を中心として吸収具保持カバー１内に載置し、吸収具保持カバー１に対して押圧することにより吸収具９を吸収具保持カバー１に取り付けた後、吸収具保持カバー１を腰部まで引き上げて装着する。吸収具保持カバー１を吸収具９と共に着用することにより、少量の排尿時等には水分が吸収具９のみにより吸収されるため、吸収具保持カバー１を交換することなく吸収具９のみを交換することにより経済的な負担を軽減することができる。
【００３７】
吸収具保持カバー１では、中央本体部２の中間部２０２に吸収コアが設けられていないため、着用者の股間部における吸収具保持カバー１の体積を低減して着用時の股間部のごわつき感を低減することができる。その結果、吸収具保持カバー１の着用感を向上することができる。
【００３８】
仮に、中央本体部の中間部に吸収コアが設けられているとすると、吸収具保持カバーを着用することにより股間部において中間部の吸収コアがよれて皺が発生する。この場合、吸収具の交換時に、よれている中間部に新しい吸収具を取り付けることとなるため、吸収具の取り付けを容易に行うことができない。吸収具保持カバー１では、中間部２０２に吸収コアが設けられていないため、吸収具９の交換を容易に行うことができる。
【００３９】
また、吸収具保持カバー１では、中間弾性部材３３により吸収具保持カバー１の中間部（すなわち、外装部３の中間部３０２および中央本体部２の中間部２０２）に伸縮性が与えられており、当該中間部の収縮力により中央本体部２に取り付けられた吸収具９を着用者の股間部へと確実に付勢することができる。その結果、吸収具９が着用者と吸収具保持カバー１との間でずれてしまうことを防止することができ、吸収具９により排泄物を確実に受けることができる。中間部では、中間弾性部材３３が長手方向に沿って伸縮するため、吸収具保持カバー１の着用時に中間弾性部材３３が伸張されて収縮力が大きくなり、吸収具９を着用者の股間部へとより確実に付勢することができる。
【００４０】
ところで、通常のパンツタイプの吸収具保持カバーは、いわゆるオープンタイプ（すなわち、着用者の腹側に当接する部位と背側に当接する部位とを粘着テープ等により腰周りで止着して着用するタイプ）の吸収具保持カバーに比べて吸収具の取り付けが難しく、また、装着時に吸収具を着用者に付勢する力を加減することが容易ではない。吸収具保持カバー１は、上述のように、吸収具９を着用者の股間部へと確実に付勢することができるため、パンツタイプの吸収具保持カバーに特に適している。
【００４１】
吸収具保持カバー１では、中間部の弾性領域において複数の中間弾性部材３３が幅方向に配列されているため、吸収具保持カバー１を装着する際に中間弾性部材３３が伸張されることにより弾性領域が長手方向に引き延ばされて略平面状になる。すなわち、吸収具９の中央近傍と対向する部位が平面状とされるため、吸収具９を吸収具保持カバー１に対して容易に取り付けることができる。吸収具９を容易に取り付けるという観点から、弾性領域の幅は、様々な種類の吸収具の中央部の幅を考慮して３ｃｍ以上１０ｃｍ以下（より好ましくは４ｃｍ以上８ｃｍ以下）とされることが好ましい。
【００４２】
弾性領域では、複数の中間弾性部材３３が中心線３００（図２参照）に関して対称に設けられることにより、吸収具保持カバー１の着用時に平面状となる上述の部位も中心線３００に関して左右対称となる。このため、吸収具９を吸収具保持カバー１の幅方向の中央に容易に取り付けることができる。
【００４３】
次に、本発明の第２の実施の形態に係る吸収具保持カバー１ａについて説明する。図７は、吸収具保持カバー１ａの構成を示す分解斜視図である。吸収具保持カバー１ａは、図１および図２に示す吸収具保持カバー１の構成に加えて、中央本体部２と外装部３との間に設けられるシート部材５を備える。また、吸収具保持カバー１ａでは、中間弾性部材３３が外装部３ではなくシート部材５に設けられる。その他の構成は図１および図２と同様であり、以下の説明において同符号を付す。
【００４４】
図８および図９は、吸収具保持カバー１ａを図７中のＣ−ＣおよびＤ−Ｄの位置で（すなわち、中央本体部２の中間部２０２および前方部２０１に対応する位置で）それぞれ切断した断面図である。吸収具保持カバー１ａでは、中央本体部２の後方部２０３に対応する位置における断面は図９と同様である。
【００４５】
図７ないし図９に示すように、吸収具保持カバー１ａは、中央本体部２、シート部材５および外装部３を備える。第１の実施の形態と同様に、中央本体部２は、トップシート２１、バックシート２３、並びに、前方部２０１および後方部２０３に設けられる第１吸収コア２２１および第２吸収コア２２２を備え、外装部３は、内装シート３１および外装シート３２を備える。中央本体部２では、第１の実施の形態と同様に、中間部２０２には吸収コアは設けられず、トップシート２１とバックシート２３との間には、第１吸収コア２２１および第２吸収コア２２２を包むティッシュペーパーのみが存在する。
【００４６】
吸収具保持カバー１ａでは、シート部材５の外装部３に対向する側の面全体が、ホットメルト接着剤４を介して外装部３の図７中に二点鎖線にて示す領域３０に接着されており、中央本体部２の長手方向の両端部近傍および中間部２０２がホットメルト接着剤４を介してシート部材５に接着されている。中央本体部２の上記接着部位以外の部位は、シート部材５および外装部３と離間可能とされる。
【００４７】
シート部材５は、積層されて互いに接合される第１シート５１および第２シート５２、並びに、中央本体部２の中間部２０２に対向する位置にて第１シート５１と第２シート５２との間に固定される複数（本実施の形態でも７本）の中間弾性部材３３を備える。中間弾性部材３３は、第１の実施の形態と同様に、長手方向に沿って中央本体部２の中間部２０２のほぼ全長に亘って伸びるとともに幅方向に配列される糸状部材であり、長手方向に平行な吸収具保持カバー１ａの中心線に関して対称に設けられる。
【００４８】
中間弾性部材３３は、３ｃｍ以上１０ｃｍ以下（本実施の形態でも、約６ｃｍ）の幅を有する弾性領域において第１シート５１および第２シート５２に接着されており、図７に示すように吸収具保持カバー１ａを広げた状態では伸張状態となっている。弾性領域では、７本の中間弾性部材３３は約１ｃｍピッチにて配列されている。
【００４９】
吸収具保持カバー１ａでも、第１の実施の形態と同様に、中間弾性部材３３が長手方向に沿って伸縮することにより、中央本体部２の中間部２０２および外装部３の中間部３０２に伸縮性が与えられる。
【００５０】
吸収具保持カバー１ａでは、第１の実施の形態と同様に、中央本体部２の中間部２０２に吸収コアが設けられていないため、着用時の股間部のごわつき感を低減することができる。また、中間弾性部材３３の収縮力により、中央本体部２に取り付けられた吸収具を着用者の股間部へと確実に付勢することができる。さらには、中間弾性部材３３が長手方向に沿って設けられているため、吸収具を着用者の股間部へとより確実に付勢することができる。
【００５１】
また、第１の実施の形態と同様に、複数の中間弾性部材３３が幅方向に配列されているため、吸収具を吸収具保持カバー１ａに対して容易に取り付けることができる。さらには、複数の中間弾性部材３３が、吸収具保持カバー１ａの中心線に関して対称に設けられることにより、吸収具を吸収具保持カバー１ａの幅方向の中央に容易に取り付けることができる。
【００５２】
次に、本発明の第３の実施の形態に係る吸収具保持カバー１ｂについて説明する。図１０は、吸収具保持カバー１ｂの構成を示す平面図である。図１０に示すように、吸収具保持カバー１ｂでは、図１および図２に示す吸収具保持カバー１の構成に加えて、中央本体部２の中間部２０２においてトップシート２１とバックシート２３（図４参照）との間に第１吸収コア２２１および第２吸収コア２２２よりも薄い吸収体である第３吸収コア２２３が設けられる。その他の構成は図１および図２と同様であり、以下の説明において同符号を付す。
【００５３】
吸収具保持カバー１ｂでは、中央本体部２の中間部２０２に設けられた第３吸収コア２２３が第１吸収コア２２１および第２吸収コア２２２よりも薄くされることにより、着用者の股間部における吸収具保持カバー１ｂの体積が低減されるため、着用時の股間部のごわつき感を低減することができる。また、第１の実施の形態と同様に、中間弾性部材３３の収縮力により、中央本体部２に取り付けられた吸収具を着用者の股間部へと確実に付勢することができる。
【００５４】
吸収具保持カバー１ｂでは、特に、中央本体部２の中間部２０２において吸収具の幅方向の端部から排泄物が漏出した場合、第３吸収コア２２３により当該排泄物の水分を速やかに吸収することができる。ただし、着用時の股間部のごわつき感をより一層低減する必要がある場合には、中央本体部２の中間部２０２には吸収コアが設けられないことが好ましい。
【００５５】
以上、本発明の実施の形態について説明してきたが、本発明は上記実施の形態に限定されるものではなく、様々な変更が可能である。
【００５６】
第１および第３の実施の形態に係る吸収具保持カバーでは、中間弾性部材３３は外装部３ではなく中央本体部２に設けられてもよい。例えば、中間弾性部材３３は、中間部２０２においてバックシート２３の着用者側に接着される。
【００５７】
中間弾性部材３３は、必ずしも糸状部材である必要はなく、例えば、帯状のポリウレタンフィルムや天然ゴム等が中間弾性部材３３として利用されてもよい。１枚の帯状のポリウレタンフィルムが中間弾性部材３３として用いられる場合、中間弾性部材３３が接着される弾性領域の幅は、当該ポリウレタンフィルムの幅となる。ただし、吸収具保持カバーの製造コストを低減するという観点からは、複数の糸状部材が中間弾性部材３３として用いられることが好ましい。
【００５８】
上記実施の形態に係る吸収具保持カバーでは、中間弾性部材３３が長手方向に関して中央本体部２の中間部２０２とほぼ同じ長さとされるが、中間弾性部材３３は、中間部２０２よりも長くされてもよい。例えば、第１の実施の形態に係る吸収具保持カバー１では、中間弾性部材３３が、外装部３の前方部３０１、中間部３０２および後方部３０３に亘って設けられてもよい。この場合、中間弾性部材３３の両端部は、中央本体部２の長手方向の両端部と中間部２０２との間の非接着部位（すなわち、中央本体部２において外装部３と接合されていない部位）に対向する位置に位置することが好ましい。このような構成とすることで、中間弾性部材３３が収縮した際に、第１吸収コア２２１および第２吸収コア２２２が中間部２０２側に引っ張られることが防止される。これにより、第１吸収コア２２１および第２吸収コア２２２に皺が生じることを防止し、吸収具保持カバー１の着用感が低下することを防止することができる。
【００５９】
なお、外装部３の前方部３０１および後方部３０３において、中間弾性部材３３は内装シート３１および外装シート３２に接着されなくてもよい。例えば、伸張状態において長手方向に関する長さが外装部３にほぼ等しい中間弾性部材３３を、伸張状態にて中間部３０２のみに接着し、中間弾性部材３３の接着された部位の両側の部位を中間弾性部材３３に接着することなく、内装シート３１および外装シート３２の間に挟んでおく構成とすることもできる。この場合、吸収具保持カバー１の製造において、外装部３に対する中間弾性部材３３の取り付け工程が簡素化される。
【００６０】
上述の吸収具保持カバーでは、中央本体部２の形状が、前方部２０１および後方部２０３の幅が中間部２０２の幅よりも広い砂時計型とされてもよい。さらには、トップシート２１およびバックシート２３の第１吸収コア２２１の左右両側（すなわち、幅方向の両側）の部位が、トップシート２１およびバックシート２３の第２吸収コア２２２の左右両側の部位に、それぞれ外装部３を介さずに直接接合されてパンツタイプの中央本体部２が形成されてもよい。この場合、外装部３は省略されてもよい。
【００６１】
上述の吸収具保持カバーの構造は、いわゆるオープンタイプの吸収具保持カバーに適用されてもよい。
【図面の簡単な説明】
【００６２】
【図１】第１の実施の形態に係る吸収具保持カバーの外観を示す図である。
【図２】吸収具保持カバーの平面図である。
【図３】吸収具の断面図である。
【図４】吸収具保持カバーの断面図である。
【図５】吸収具保持カバーの断面図である。
【図６】吸収具保持カバーの平面図である。
【図７】第２の実施の形態に係る吸収具保持カバーの分解斜視図である。
【図８】吸収具保持カバーの断面図である。
【図９】吸収具保持カバーの断面図である。
【図１０】第３の実施の形態に係る吸収具保持カバーの平面図である。
【符号の説明】
【００６３】
１，１ａ，１ｂ    吸収具保持カバー
９    吸収具
２１    トップシート
２３    バックシート
３３    中間弾性部材
２０２    中間部
２２１    第１吸収コア
２２２    第２吸収コア
２２３    第３吸収コア
３００    中心線
３０２    中間部
【図１】
2007185329.tif 000003
【図２】
2007185329.tif 000004
【図３】
2007185329.tif 000005
【図４】
2007185329.tif 000006
【図５】
2007185329.tif 000007
【図６】
2007185329.tif 000008
【図７】
2007185329.tif 000009
【図８】
2007185329.tif 000010
【図９】
2007185329.tif 000011
【図１０】
2007185329.tif 000012